(57)【要約】【課題】防水性、装着感、耐久性に優れた濡れ防止用アームリングを提供する。【解決手段】濡れ防止用のアームリング１は、手首５に装着して水の滴りや、袖口６、肘等の濡れを防止する。濡れ防止用のアームリング１は、伸縮性を有するシート素材１０から形成されており、手首５の太さより小径で手首５に嵌める丸い装着孔２と、装着孔２の周りにつば状に張り出したガード部３とを有する。シート素材１０は、多数の独立気泡を持つクロロプレンゴムスポンジのシート本体１１により形成され、シート本体１１の片面にはナイロンジャージ１２又はポリエステルジャージが貼り合わされた構成を備える。シー本体１１の他の片面は、スキン面１３又は前記ジャージ１２が貼り合わされている。シート素材１０には、ウエットスーツ用素材が使用できる。【選択図】図２
0003233510.tif 000002
【実用新案登録請求の範囲】
【請求項１】
手首に装着して水の滴りや、袖口、肘等の濡れ防止用のアームリングであって、
伸縮性を有するシート素材から形成されており、手首の太さより小径で手首に嵌める丸い装着孔と、装着孔の周りにつば状に張り出したガード部とを有し、
シート素材は、多数の独立気泡を持つクロロプレンゴムスポンジのシート本体により形成され、シート本体の片面にはナイロンジャージ又はポリエステルジャージが貼り合わされた構成を備える濡れ防止用アームリング。
【請求項２】
シート本体の他の片面は、クロロプレンゴムスポンジのスキン面であるか、又は、ナイロンジャージもしくはポリエステルジャージが貼り合わされた構成とする請求項１に記載の濡れ防止用アームリング。
【請求項３】
シート素材は、ウエットスーツ用素材からなる請求項１又は２に記載の濡れ防止用アームリング。
【請求項４】
シート素材は、厚さが３〜５ｍｍであり、硬度（ｃｓｃ２）が３４〜４５、引張り強さ（ｋｇｆ／ｃｍ２）が７．０１〜７．７８、伸び（％）が３７４〜４３４、引裂強度（ｋｇｆ／ｃｍ）が１．９６〜２．９４の物性値を有する請求項１〜３のいずれか１項に記載の濡れ防止用アームリング。
【請求項５】
装着孔は、手首を装着した状態では手首の形に沿って広がり且つ装着孔周縁が円錐状に隆起して手首に密着されるように伸縮する構成である請求項１〜４のいずれか１項に記載の濡れ防止用アームリング。
【考案の詳細な説明】
【技術分野】
【０００１】
本考案は、手首に装着して水の滴りや、袖口、肘等の濡れを防止する濡れ防止用アームリングに関する。
【背景技術】
【０００２】
洗顔、手洗い、また、洗車、風呂掃除、炊事等の水仕事の際、袖口や肘が濡れないように服を腕まくりしても、水が手から伝ってきて腕、肘等が濡れたり、また、手を動かしているうちに袖口が垂れてきて濡れてしまったりし、不快な思いをすることがある。また、最近では、コロナウイルス等の感染予防策として小まめに念入りに手洗いする機会が多くなり、そのたびに服の袖が濡れないように気を付けるのがわずらわしい。従来、袖口等の防水用カバーとして手首に装着する筒状のものや円盤状のもの（特許文献１、２）等が提供されている。
【先行技術文献】
【特許文献】
【０００３】
【特許文献１】特開平９−１３７３０９号公報
【特許文献２】特開２００５−７６１６７号公報
【考案の概要】
【考案が解決しようとする課題】
【０００４】
しかしながら、従来の防水用カバーは、いずれも防水性や装着感に劣り、また、腕を通す孔が裂けやすく耐久性が劣るものであった。
【０００５】
本考案は、以上の事情に鑑みてなされたものであり、防水性、装着感、耐久性に優れた濡れ防止用アームリングを提供することを目的とするものである。
【課題を解決するための手段】
【０００６】
本考案に係る濡れ防止用アームリングは、
手首に装着して水の滴りや、袖口、肘等の濡れ防止用のアームリングであって、
伸縮性を有するシート素材から形成されており、手首の太さより小径で手首に嵌める丸い装着孔と、装着孔の周りにつば状に張り出したガード部とを有し、
シート素材は、多数の独立気泡を持つクロロプレンゴムスポンジのシート本体により形成され、シート本体の片面にはナイロンジャージ又はポリエステルジャージが貼り合わされた構成を備えるものである。
シート素材として、例えば、ウエットスーツ用素材が用いられる。
【０００７】
前記構成より、シート素材が独立気泡のクロロプレンゴムスポンジのシート本体で形成されているので、水を通さず防水性に優れ、しかも、伸縮性を有し軽くて柔らかく手首での装着感がよい。従って、この濡れ防止用アームリングを手首に装着するとガード部が手首の周りにつば状に張り出した状態となり、洗顔等の最中に手の周辺から腕の方に水が飛散しても、この水の飛散をガード部によって遮ることができる。シート素材が伸縮性を有し、装着孔が手首の太さよりも小径に形成されているので、装着孔が手首の形に沿って広がって手首にぴったり密着して装着され、装着孔と手首との間から水が浸入することもない。よって、水の飛散や水の滴りを遮断して、袖口、肘等の濡れが防止される。また、シート本体の少なくとも片面にはナイロンジャージ又はポリエステルジャージが貼り合わされているので、強度が確保され、手首への着脱時に装着孔が裂け難く、ジャージ面での擦れに対して傷が付き難く、耐久性が高い。また、ナイロンジャージ又はポリエステルジャージは、水を吸収し難く使用後の乾燥性にも優れている。
【考案の効果】
【０００８】
以上より、本考案に係る濡れ防止用アームリングによれば、防水性、装着感、耐久性に優れ、また、乾燥性も優れるという効果が発揮される。
【図面の簡単な説明】
【０００９】
【図１】実施形態による濡れ防止用アームリングを示す平面図である。
【図２】実施形態による濡れ防止用アームリングを示す断面図である。
【図３】実施形態による濡れ防止用アームリングの手首装着状態を示す模式図である。
【考案を実施するための形態】
【００１０】
以下に、本考案の実施形態について、図面を参照しながら説明する。
図１（Ａ）に示すように、実施形態の濡れ防止用アームリング１は、全体形状として円形のドーナツ型を有し、中央に手首５の太さより小径で手首５に嵌める円形の装着孔２が設けられ、装着孔２の周りに円形のガード部３がつば状に張り出した構成を有する。なお、濡れ防止用アームリング１の外形形状は、円形に限らず、例えば、図１（Ｂ）に示した花型等、その他にも様々な形状とすることができる。装着孔２の孔形状も真円形に限らず、楕円形にしてもよい。
【００１１】
濡れ防止用アームリング１の素材は、伸縮性を有するシート素材１０から形成されたものであり、例えば、サーフィンやダイビングのウエットスーツ用素材を用いることができる。図２（Ａ）に示すように、シート素材１０は、多数の独立気泡を持つクロロプレンゴムスポンジのシート本体１１から形成され、シート本体１１の片面にはジャージ１２が貼り合わされ、もう片面はシート本体１１のクロロプレンゴムスポンジのスキン面１３とされている。ジャージ１２は、本実施形態ではナイロンジャージが使用されるが、ポリエステルジャージでもよい。なお、図２（Ｂ）に示すように、シート本体１１の両面ともジャージ１２を貼り合わせたものでもよい。
【００１２】
シート素材１０の物性は、硬度（ｃｓｃ２）が３４〜４５、引張り強さ（ｋｇｆ／ｃｍ２）が７．０１〜７．７８、伸び（％）が３７４〜４３４、引裂強度（ｋｇｆ／ｃｍ）が１．９６〜２．９４の物性値を有するものを使用することができる。このような物性のシート素材１０よりなる濡れ防止用アームリング１は、伸びが大きく高い伸縮性を有しながら、引張りや引裂きに強くて破損し難く耐久性に優れたものとなる。
【００１３】
濡れ防止用アームリング１のサイズとして、ＳＳサイズ（子供用）は、装着孔２の孔径が３ｃｍ、全体の外径が１１ｃｍとし、Ｓサイズは、装着孔２の孔径が４ｃｍ、全体の外径が１５ｃｍとし、Ｍサイズは、装着孔２の孔径が４．５ｃｍ、全体の外径が１５ｃｍとし、Ｌサイズは、装着孔２の孔径が５ｃｍ、全体の外径が１５ｃｍとする。厚さは、全サイズ共通で３．５ｍｍとするが、３〜５ｍｍの範囲で適宜に設定してもよい。サイズも前記に限るものではなく、用途、目的等に応じて適宜に設定してもよい。
【００１４】
この濡れ防止用アームリング１は、洗顔、手洗い、また、洗車、風呂掃除、炊事等の水仕事の際に、図３に示すように、手首５に装着する。すなわち、装着孔２に手を通して濡れ防止用アームリング１を手首５に装着することで、手首５の周りにガード部３がつば状に張り出した状態となる。これにより、洗顔時や水仕事等の最中に手の周辺から腕の方に水が飛散しても、この水の飛散をガード部３によって遮ることができる。また、濡れ防止用アームリング１は、シート素材１０がウエットスーツ用素材のように高い伸縮性を有するので、装着孔２に手を挿通すると手首５よりも小径の装着孔２が手首５の形に沿って広がり且つ装着孔２の周縁が円錐状に隆起して手首５にぴったり密着するように伸縮して装着される。従って、装着孔２と手首５の間から水が浸入することもない。また、装着孔２周縁が円錐状に隆起して手首５に対してぴったり密着（図３参照）するので、手首５との接触面積が多く安定して装着され、且つ防水性が向上される。よって、この濡れ防止用アームリング１の装着により、水の飛散、水の滴りを確実に遮断して、袖口６、肘等の濡れを防止することができる。
【００１５】
濡れ防止用アームリング１を手首５から取り外す時は、ガード部３を摘まんで引っ張るとシート素材１０の伸縮性によって装着孔２が広がって簡単に手首５から取り外すことができる。従って、着脱性に優れている。よって、洗顔時や水仕事等の際に腕まくりすることに比べ、濡れ防止用アームリング１の着脱を手間なく簡単に行うことができる。
【００１６】
シート素材１０が独立気泡のクロロプレンゴムスポンジのシート本体１１で形成されているので、水を通さず防水性に優れ、しかも、高い伸縮性を有し軽くて柔らかく手首５での装着感がよい。シート本体１１にはジャージ１２が貼り合わされているので、強度が確保され、手首５への着脱時に装着孔２が裂け難く、このジャージ１２面での擦れに対して傷が付き難く、耐久性が高い。ジャージ１２としてのナイロンジャージやポリエステルジャージは、水を吸収し難いので使用後の乾燥性にも優れている。
【００１７】
また、シート本体１１の片面をスキン面１３としたもの（図２（Ａ））では、伸縮性が非常に高くなり、柔らかく手首５での装着感が非常によい。スキン面１３は、撥水性が高く、使用後の乾燥性が非常に優れている。また、シート本体１１の両面ともジャージ１２を貼り合わせたもの（図２（Ｂ））では、強度、耐久性がさらに向上する。
【００１８】
以上より、本実施形態の濡れ防止用アームリング１によれば、防水性、装着感、耐久性、乾燥性に優れるという効果が発揮される。
【００１９】
なお、本考案は、以上の実施形態に限定されず、実用新案登録請求の範囲内で様々な変更を行うことができる。
【符号の説明】
【００２０】
１  濡れ防止用アームリング
２  装着孔
３  ガード部
５  手首
６  袖口
１０  シート素材
１１  シート本体
１２  ジャージ
１３  スキン面
【図１】
0003233510.tif 000003
【図２】
0003233510.tif 000004
【図３】
0003233510.tif 000005